(57)【要約】      （修正有）【課題】スピーカ等の電子部品と電子回路部とをリード線を使用することなくカメラ本体に容易に且つ確実に取り付けることができるカメラの電子部品接続構造を提供する。【解決手段】スピーカ５２は、前カバー１２の音発声部３６の内側面に形成された収納部５６に、その音発声面５３を音発声部３６に向けて挿入されている。この接続構造によれば、スピーカ５２と基板５４とが、導電製の金属で作られた一対の板ばね部材５８、５８によって電気的に接続される。すなわち、板ばね部材５８、５８の一端に形成された円弧状弾性接片５８Ａ、５８Ａが、基板５４の所定のランド５４Ａ、５４Ａに半田によって接続され、そして、この状態で板ばね部材５８を、収納部５６とスピーカ５２の背面との間の隙間に嵌入することにより、板ばね部材５８の他端に形成された円弧状弾性接片５８Ｂ、５８Ｂが、スピーカ５２の背面に取り付けられた接片に弾性をもって押圧当接される。【選択図】図３
2006179979.tif 000002
【特許請求の範囲】
【請求項１】
カメラ本体に内蔵される電子部品と、
その付勢力により前記電子部品を前記カメラ本体に押圧させて取り付けるとともに、前記電子部品と前記カメラ本体に内蔵される電子回路部とを電気的に接続する導電製の付勢部材と、
を備えたことを特徴とするカメラの電子部品接続構造。
【請求項２】
カメラ本体に内蔵される電子部品と、
前記電子部品と前記カメラ本体に内蔵された電子回路部とを電気的に接続するとともに、所定の遊びをもって相対的に移動自在に接続されるフローティングコネクタと、
を備えたことを特徴とするカメラの電子部品接続構造。
【請求項３】
カメラ本体に内蔵される電子回路部と、
前記電子回路部に固定された電子部品と、
前記カメラ本体に形成されるとともに、前記電子回路部に固定された前記電子部品をその付勢力により前記カメラ本体に押圧させて取り付ける付勢部材と、
を備えたことを特徴とするカメラの電子部品接続構造。
【請求項４】
前記電子部品は、スピーカ又はマイクロホンであることを特徴とする請求項１、２、又は３のうちいずれか一つに記載のカメラの電子部品接続構造。
【発明の詳細な説明】
【技術分野】
【０００１】
本発明はカメラの電子部品接続構造に係り、特にカメラに内蔵されたスピーカ、マイクロホン等の音響部品である電子部品と、この電子部品が接続される電子回路部（基板）との接続構造に関する。
【背景技術】
【０００２】
近年のデジタルカメラには、音声の入出力を行うマイクロホン、スピーカ等の音響部品を内蔵し、この音響部品により音声を記録し、それを再生するボイス録音再生機能を有するカメラが市販されている。図８の如く音響部品１は、カメラ本体２の外装カバー３の内壁に形成された取付用穴部４に嵌装されることにより外装カバー３に装着され、この後、音響部品１の複数本のリード線５、５…を、カメラ本体２に内蔵された基板７のランド７に接続することにより組み立てられる。
【０００３】
ところで、取付用穴部４は、音響部品１の損傷等を防止するために音響部品１が軽く圧入される大きさに形成する必要がある。このため従来では、取付用穴部４の型修正を繰り返し行うことで寸法を合わせたり、また、ゴム等の弾性部材を取付用穴部４に介在させて、すなわち、取付用穴部４の寸法誤差を弾性部材で吸収させたりして音響部品１を外装カバー３に取り付けていた（例えば、特許文献１）。
【特許文献１】特開２００４−１２０５９８号公報
【発明の開示】
【発明が解決しようとする課題】
【０００４】
前述の如く、従来の電子部品接続構造では、取付用穴部４の製造に手間がかかり、また、電気接続には関係のないゴム等の弾性部材を必要とするので、部品点数が増えるという問題があった。
【０００５】
更にまた、従来の電子部品接続構造は、音響部品１と基板６とをリード線５によって接続する構造であるため、外装カバーの前カバーと後カバーとの組み付け時に、リード線を噛み込んで断線等の不具合が起こる場合があった。また、リード線が外部ノズルを拾い、電子部品の入出力に悪影響を及ぼす場合もあった。
【０００６】
本発明は、このような事情に鑑みてなされたもので、電子部品と電子回路部（基板）とをリード線を使用することなく電子部品をカメラ本体に容易に且つ確実に取り付けることができるカメラの電子部品接続構造を提供することを目的としている。
【課題を解決するための手段】
【０００７】
請求項１に記載の発明は、前記目的を達成するために、カメラ本体に内蔵される電子部品と、その付勢力により前記電子部品を前記カメラ本体に押圧させて取り付けるとともに、前記電子部品と前記カメラ本体に内蔵される電子回路部とを電気的に接続する導電製の付勢部材と、を備えたことを特徴としている。
【０００８】
請求項１に記載の発明によれば、電子部品と電子回路部とを、導電製の金属で作られて付勢部材によって電気的に接続するとともに、この付勢部材の付勢力によって電子部品をカメラ本体に押圧させて取り付けた。これにより、電子部品と電子回路部とをリード線を使用することなく電子部品をカメラ本体に容易に且つ確実に取り付けることができる。
【０００９】
請求項２に記載の発明は、前記目的を達成するために、カメラ本体に内蔵される電子部品と、前記電子部品と前記カメラ本体に内蔵された電子回路部とを電気的に接続するとともに、所定の遊びをもって相対的に移動自在に接続されるフローティングコネクタと、を備えたことを特徴とする。
【００１０】
請求項２に記載の発明は、電子部品をカメラ本体に予め固定し、電気的接続を移動式のフローティングコネクタとすることにより、ビビリ等を防止し、組み立て性向上と安定した接続を実現するものである。すなわち、カメラ本体に予め固定された電子部品と電子回路部とを、所定の遊びをもって相対的に移動自在に接続される、プラグ及びジャックからなるコネクタによって接続する。この場合、電子部品と電子回路部との位置ずれは、フローティングコネクタが持っている遊びによって吸収されるので、電子部品と電子回路部とを問題なく接続することができる。また、コネクタによる接続なので、ノイズを低減することもできる。
【００１１】
請求項３に記載の発明は、前記目的を達成するために、カメラ本体に内蔵される電子回路部と、前記電子回路部に固定された電子部品と、前記カメラ本体に形成されるとともに、前記電子回路部に固定された前記電子部品をその付勢力により前記カメラ本体に押圧させて取り付ける付勢部材と、を備えたことを特徴とする。
【００１２】
請求項３に記載の発明によれば、電子部品を電子回路部に予め接続しておき、電子部品をカメラ本体に形成された付勢部材の付勢力によってカメラ本体に押圧させて取り付けた。これにより、電子部品と電子回路部とをリード線を使用することなく電子部品をカメラ本体に容易に且つ確実に取り付けることができる。
【００１３】
請求項４に記載の発明は、請求項１、２又は３に記載の発明において、前記電子部品は、スピーカ、マイクロホンであることを特徴としている。電子部品としてスピーカ、マイクロホン等の音響部材を例示できる。
【発明の効果】
【００１４】
以上説明したように本発明に係るカメラの電子部品接続構造によれば、電子部品と電子回路部とを、付勢部材によって電気的に接続するとともに、この付勢部材の付勢力によって電子部品をカメラ本体に押圧させて取り付けたので、電子部品と電子回路部とをリード線を使用することなく電子部品をカメラ本体に容易に且つ確実に取り付けることができる。
【発明を実施するための最良の形態】
【００１５】
以下、添付図面に従って本発明に係るカメラの電子部品接続構造の好ましい実施の形態について詳説する。
【００１６】
図１は、本発明に係るカメラの電子部品接続構造が適用されたカメラ１０の正面斜視図であり、図２はカメラ１０の背面斜視図である。このカメラ１０は、静止画及び動画の記録再生機能を備えるとともにボイス録音再生機能を有するデジタルカメラである。
【００１７】
図１、図２に示すようにカメラ１０のカメラ本体を構成する外装カバーは、前カバー１２と後カバー１４とからなる。前カバー１２には、沈胴式の鏡胴１６に設けられた撮影レンズ１８、ファインダー窓２０、ストロボ調光センサ２２、ストロボ発光部２４、マイクロホンの集音部２５、及びグリップとして兼用される電源スイッチ２６がそれぞれ所定の位置に設けられている。電源スイッチ２６は、前カバー１２に横方向にスライド自在に設けられ、この電源スイッチ２６をスライドさせることによって、電源がＯＮ／ＯＦＦされる。また、前カバー１２には、撮影レンズ１８を沈胴位置で保護するレンズカバー（不図示）が設けられている。
【００１８】
図１の如く、カメラ１０の外装カバーの上面にはシャッターボタン２８が設けられている。このシャッターボタン２８が半押し操作されると、オートフォーカス機能が作動して撮影レンズ１８によるピント合わせが行われ、シャッターボタン２８が全押し操作されると撮影が行われる。
【００１９】
カメラ１０の外装カバーの側面には、映像用ケーブルが接続されるビデオ端子３０、電源アダプターが接続される電源入力端子３２、ＵＳＢケーブルが接続されるコネクタ３４、及びスピーカの音発声部３６がそれぞれ所定の位置に設けられている。なお、コネクタ３４は、クレードルとの接続端子として兼用される。
【００２０】
図２の如くカメラ１０の後カバー１４には、ＬＣＤモニタ（表示部）３８、ファインダー４０、ダイヤル４２、及び複数の操作ボタン４４Ａ、４４Ｂ…４４Ｇがそれぞれ所定の位置に設けられる。ＬＣＤモニタ３８には、カメラ１０が撮影モードの場合に図１の撮影レンズ１８で取り込まれた画像が表示され、電子ビューファインダとして使用されている。また、カメラ１０が再生モードの場合には、撮像されて記録された画像が表示される。なお、このＬＣＤモニタ３８は、撮影モードの表示用としても使用される。
【００２１】
図２のダイヤル４２は、後カバー１４に回動自在に設けられ、このダイヤル４２を回動操作することによって動作モードが選択され、再生モード、撮影モード、或いは動画モード等に切り替えられる。操作ボタン４４Ａには、メニューの呼び出しや各操作を実行する機能が割り当てられ、操作ボタン４４Ｂには、各操作を中止する機能が割り当てられる。操作ボタン４４Ｃにはズーム操作を行う機能が割り当てられ、操作ボタン４４Ｄにはストロボの設定を選択する機能が割り当てられ、操作ボタン４４Ｅには近距離撮影モードを選択する機能が割り当てられる。これらの操作ボタン４４Ｃ〜４４Ｅは、ＬＣＤモニタ３８にメニュー画面を表示した際にカーソルを移動する際や、再生モードでのコマ送り等にも使用される。操作ボタン４４Ｆは画素数や感度を設定するボタンであり、操作ボタン４４Ｇは、表示画面を分割表示する際に使用するボタンである。
【００２２】
また、カメラ１０の外装カバーの底面には、三脚取付用のねじ孔４６と電池カバー４８とが設けられる。電池カバー４８は外装カバーに開閉自在に取り付けられており、回動操作と横方向へのスライド操作を組み合わせることによって開閉される。なお、図２の符号５０は、ストラップ取付用金具である。
【００２３】
図３には、カメラ１０に内蔵されたスピーカ５２と基板（電子回路部）５４との接続構造の第１の実施の形態が示されている。
【００２４】
スピーカ５２は、前カバー１２の音発声部３６の内側面に形成された収納部５６に、その音発声面５３を音発声部３６に向けて挿入されている。図３の接続構造によれば、スピーカ５２と基板５４とが、導電製の金属で作られた一対の板ばね部材（付勢部材）５８、５８によって電気的に接続されている。すなわち、板ばね部材５８、５８の一端に形成された円弧状弾性接片５８Ａ、５８Ａが、基板５４の所定のランド５４Ａ、５４Ａに半田によって接続され、そして、この状態で板ばね部材５８を、収納部５６とスピーカ５２の背面との間の隙間に嵌入することにより、板ばね部材５８の他端に形成された円弧状弾性接片５８Ｂ、５８Ｂが、スピーカ５２の背面に取り付けられた接片（不図示）に弾性をもって押圧当接される。これにより、スピーカ５２と基板５４とが導通される。また、板ばね部材５８、５８の付勢力によってスピーカ５２の音発声面５３が、音発声部３６の内側面に所定の押圧力で押し付けられる。これにより、スピーカ５２が前カバー１２の収納部５６から脱落することなく収納部５６に取り付けられる。
【００２５】
したがって、図３に示した接続構造によれば、スピーカ５２と基板５４とをリード線を使用することなく、容易に且つ確実にスピーカ５２をカメラ本体に取り付けることができる。
【００２６】
図４には、カメラ１０に内蔵されたスピーカ５２と基板５４との接続構造の第２の実施の形態が示され、図３に示した第１の実施の形態と同一若しくは類似の部材については同一の符号を付して説明する。
【００２７】
図４の接続構造によれば、スピーカ５２と基板５４とが、プラグ６０及びリセプタクル（ジャック）６２とからなるフローティングコネクタ６４によって接続される。プラグ６０は、基板５４の所定の位置に取り付けられ、リセプタクル６２はスピーカ基板６６に取り付けられている。
【００２８】
プラグ６０は図５の如く、リセプタクル６２に嵌合接続されるプラグ本体６８と、基板５４に固定されたベース部７０とから構成され、ベース部７０とプラグ本体６８ととは接片同士の接触により導通されている。また、ベース部７０の上面に凸部７２が形成され、この凸部７２が、プラグ本体６８の下面に形成された凹部７４に隙間Ｃをもって遊嵌されている。したがって、プラグ本体６８は、隙間Ｃ（２Ｃ）分だけベース部７０に対しスライド移動自在に取り付けられている。すなわち、プラグ本体６８が基板５４に対して直進方向にスライド移動自在に取り付けられている。なお、凸部７２がベース部７０の上面中央に形成されている場合には、プラグ本体６８は凸部７２を中心とした回動方向にも移動することができる。
【００２９】
したがって、プラグ６０を上記の如く基板５４に対して移動自在に取り付けることにより、プラグ６０とリセプタクル６２の接続時において、多少のずれであればプラグ本体６８が移動してそのずれを吸収し、プラグ本体６８がリセプタクル６２に接続される。
【００３０】
図４に示した接続構造によれば、スピーカ５２を収納部５６に予め固定し、電気的接続を移動式のフローティングコネクタ６４によって行うことにより、ビビリ等を防止し、組み立て性向上と安定した接続を実現できる。すなわち、カメラ本体に固定されたスピーカ５２と基板５４とを、所定の遊びをもって相対的に移動自在に連結される、プラグ６０及びリセプタクル６２からなるコネクタ６４によって接続する。この場合、スピーカ５２と基板５４との位置ずれは、プラグ６０の遊び（２Ｃ）によって吸収できるので、スピーカ５２をカメラ本体に固定した後であっても、スピーカ５２と基板５４とを問題なく接続することができる。また、プラグ６０及びリセプタクル６２からなる直結タイプのコネクタ６４を採用したので、ノイズの影響も少なくなる。なお、実施の形態では、プラグ６０側を基板５４に対して移動させる構造としたが、リセプタクル６２側をスピーカ基板６６に対して移動させる構造としてもよい。
【００３１】
図６には、カメラ１０に内蔵されたスピーカ５２と基板５４との接続構造の第３の実施の形態が示され、図３に示した第１の実施の形態と同一若しくは類似の部材については同一の符号を付して説明する。
【００３２】
図６の接続構造によれば、スピーカ５２に設けられたスピーカ基板７６が、基板５４のランド７８に半田によって直結されている。また、前カバー１２の収納部５６には、例えばプラスチック製の前カバー１２と一体成形された押圧片８０が、収納部５６の一部を切欠いて形成されている。この押圧片８０は、図７の如く前カバー１２に片持ち形成され、その先端部には半球状の当接部８２が形成されている。
【００３３】
図６、図７に示した接続構造によれば、基板５４に直結されたスピーカ５２を収納部５６に差し込んでいくと、押圧片８０は、当接部８２がスピーカ基板７６の背面に押されることにより、基部８１を支点として図７の右方向に向けて弾性変形される。そして、スピーカ５２を収納部５６に完全に挿入すると、スピーカ５２は、押圧片８０の弾性復元力により、当接部８２を介して図７の左方向に付勢力を受ける。したがって、スピーカ５２の音発生面５３が、前カバー１２の音発生部３６の裏面に押圧当接される。すなわち、収納部５６とスピーカ５２との間に隙間があっても、押圧片８０の付勢力によってスピーカ５２が音発生部３６の裏面に位置決めされる。したがって、スピーカ５２を基板５４に固定した後であっても、スピーカ５２を正規の位置に取り付けることができる。
【００３４】
なお、実施の形態では、スピーカ５２の接続構造について例示したが、これに限定されるものではなく、マイクロホンも同様の接続構造を適用できる。また、電子部品として音響部品であるスピーカ５２、マイクロホンを例示したが、これに限定されるものではなく、すなわち、機械的又はその他の非電気的方法を使わずに、電圧や電流を増幅制御したり、機械的スイッチなしに電流や電圧を切り換えたりする電子部品（例えばストロボ調光センサ２２等の固体デバイス）であれば、本発明の接続構造を適用できる。
【００３５】
更にまた、実施の形態では、デジタルカメラを例示したが、これに限定されるものではなく、例えばカメラ付き携帯電話機、ＰＤＡ（Personal Digital Assistant）等の多機能携帯電子通信機器の電子部品にも本発明の接続構造を適用できる。
【図面の簡単な説明】
【００３６】
【図１】実施の形態のスピーカ接続構造が適用されたカメラの正面斜視図
【図２】図１に示したカメラの背面斜視図
【図３】スピーカと基板との第１の接続構造の実施の形態を示した要部斜視図
【図４】スピーカと基板との第２の接続構造の実施の形態を示した要部斜視図
【図５】図４のプラグの構造を示した側面図
【図６】スピーカと基板との第３の接続構造の実施の形態を示した要部斜視図
【図７】図６に示した第３の接続構造の要部拡大断面図
【図８】従来のカメラの電子部品接続構造の一例を示した説明図
【符号の説明】
【００３７】
１０…カメラ、１２…前カバー、１４…後カバー、１８…撮影レンズ、２６…電源スイッチ、２８…シャッターボタン、３６…音発声部、３８…ＬＣＤモニタ、５２…スピーカ、５４…基板、５６…収納部、５８…板ばね部材、６０…プラグ、６２…リセプタクル、６４…フローティングコネクタ、６６…スピーカ基板、６８…プラグ本体、７０…ベース部、７６…スピーカ基板、８０…押圧片、８２…当接部
【図１】
2006179979.tif 000003
【図２】
2006179979.tif 000004
【図３】
2006179979.tif 000005
【図４】
2006179979.tif 000006
【図５】
2006179979.tif 000007
【図６】
2006179979.tif 000008
【図７】
2006179979.tif 000009
【図８】
2006179979.tif 000010